(57)【要約】【課題】従来の建築物の外壁用防水シートは、遮熱および断熱にはほとんど寄与しておらず、アルミニウム箔等の輻射熱反射作用を利用するために透湿防水シートとアルミニウム箔を一体化しようとすると透湿防水シートとしての役割を果たさなくなり、コストの増大、加工性の悪化、重量の増加による施工性の悪化を招く。【解決手段】防水性を有しかつ透湿性を有する透湿防水シートを基材とし、その表面にアルミニウム箔とプラスティックフィルムを張り合わせて貫通孔を設けた輻射熱反射層をドライラミネーションにより格子状、ストライプ状あるいはドット状に部分接着させ、一体化させることを特徴とする防水シートを提供することにより発明が解決しようとする課題に記した目的を達成しうることを見出してなされたものである。【選択図】図１
2005059506.tif 000002
【特許請求の範囲】
【請求項１】
防水性を有しかつ透湿性を有する透湿防水シートを基材とし、その表面にアルミニウム箔とプラスティックフィルムを張り合わせて貫通孔を設けた輻射熱反射層をドライラミネーションにより格子状、ストライプ状あるいはドット状に部分接着させ、一体化させることを特徴とする防水シート。
【発明の詳細な説明】
【技術分野】
【０００１】
本発明は、防水シートに関するものである。
【背景技術】
【０００２】
一般に建築物の外壁用防水シートとしては、アスファルト系、ゴム化アスファルト系または防水性を有しかつ通気性を有する透湿防水シートが使用されている。これらのシートは０．１〜２ｍｍ程度の厚みのもので、これらのシートを使用しても遮熱および断熱効果はほとんど得られない。
【０００３】
また、アルミニウム箔等の輻射熱反射作用を利用するために透湿防水シートとアルミニウム箔を一体化しようとするとアルミニウム箔には通気性が無いため、透湿防水シートとしての役割を果たさなくなる。これを改善するための従来の技術としてアルミニウム箔に通気孔を設けて基材の透湿防水紙と貼り合わせるものがある。この場合でも基材となる透湿防水紙との接着の際に通気孔が接着剤に塞がれて通気性能を妨げたり、シートとしての強度を保とうとするためにアルミ箔が０．０５mm〜１mmと厚くなり、コストの増大、加工性の悪化、重量の増加による施工性の悪化を招く。（例えば特許文献１参照）また、アスファルト系またはゴム化アスファルト系の防水シートは透湿性が悪く、室内で発生した水蒸気が外部に放出され難く、壁体内で内部結露の原因となるなどの問題がある。
【特許文献１】特開平５−７９１３０
【発明の開示】
【発明が解決しようとする課題】
【０００４】
本発明は、従来技術が有していた前述の欠点を解決しようとするものであり、外壁面での遮熱性の向上と透湿性の確保を目的とし、尚且つ材料コストを下げた輻射熱反射機能付き防水シートを提供することにある。
【課題を解決するための手段】
【０００５】
本発明は防水性を有しかつ透湿性を有する透湿防水シートを基材とし、その表面にアルミニウム箔とプラスティックフィルムを張り合わせて貫通孔を設けた輻射熱反射層をドライラミネーションにより格子状、ストライプ状あるいはドット状に部分接着させ、一体化させることを特徴とする防水シートを提供することにより発明が解決しようとする課題に記した目的を達成しうることを見出してなされたものである。
【発明の効果】
【０００６】
本発明による輻射熱反射機能付き透湿防水シートは外壁に使用することにより特に効果的である。
【発明を実施するための最良の形態】
【０００７】
本発明において、透湿防水シート本体としては壁の防水層として一般的に使用されている防水性能を有しかつ通気性を有するシートが挙げられる。これらのシートはポリオレフィン系・ナイロン系・ポリウレタン系の不織布などで構成される。
【０００８】
また、反射層としては、アルミニウム箔をプラスティックフィルム
に貼り付けたのち、通気のために貫通孔を開けたものを用いる。アルミニウム箔とプラスティックフィルムを貼り合せることにより、アルミニウム箔を薄くしても孔あけ加工に必要な強度や現場での施工時に必要な強度を確保することができ、且つしなやかで現場での施工性が良い。また、アルミニウム箔を薄くできるため、製品としてのコストも押さえることができる。アルミニウム箔の厚さは０．００４ｍｍ〜０．０３ｍｍ、プラスティックフィルムの厚みは０．００４ｍｍ〜０．０４ｍｍ程度が好ましく、これより薄いとシートの強度が足りず、これより厚いと、しなやかさが失われると同時に重くなり、現場でのカットなどの加工性や貼込み時の施工性が悪く、製作コストも増大する。貫通孔は０．５〜３．５ｍｍφ程度が好ましく、０．５ｍｍφ未満では、水蒸気が室外に十分に排出されず結露を生じ易くなるので好ましくない。開口率としては０．５％〜２０％が好ましく、２０％を超えると輻射熱の反射率が低下し、断熱性が低下するので好ましくない。
【０００９】
かかるアルミニウム箔とプラスティックフィルムからなる反射層は防水シート本体の表面に接着剤を網目状等に塗布することにより一体化される。ドライラミネーションにより格子状、ストライプ状あるいはドット状に部分的に接着剤を塗布することにより反射層に開けた通気のための貫通孔を接着剤で塞ぐことなく一体化することができる。その接着剤としては、エポキシ系、ゴム系、塩化ビニール系2液反応型ウレタン製のものが耐候性に優れているので好ましい。接着剤をシート全面に均一に塗布して一体化した場合、反射層に設けた貫通孔は塞がれてしまい、通気をほとんど果たさなくなってしまうため好ましくない。また、アルミニウム箔とプラスティックフィルムからなる反射層は透湿防水シート本体の両面に設けてもよく片面のみに設けてもよい。
【実施例】
【００１０】
例えば（図２） で示すように外壁下地に本発明による輻射熱反射機能付き透湿防水シート（図２） ８を装着し、輻射熱反射機能付き透湿防水シートとサイディング等の（図２） ６の外壁材の間に通気層が形成されるように（図２） ７の通気胴縁を挟んで施工する。更にその室内側に（図２） ９のように通常の断熱材を設ける。この際、（図１) １で示す輻射熱反射機能付シートのアルミニウム箔が外壁側に位置するようにする。
【００１１】
外壁材表面が日射等の影響で温められ、室内側に向かって流入する熱は外壁直下の通気層を対流及び輻射の原理で伝わる。通気層から流入しようとする熱はアルミニウム箔の輻射熱反射作用により遮断され、遮断された熱は通気層の排熱効果によって排出される為、室内への熱の流入が効果的に低減される。また、室内で発生した湿気については、室内側より通気層まで通過し、通気層の排出効果により排出され、内部結露の防止に効果がある。また、アルミニウム箔とプラスティックフィルムを貼り合わせる構造によって、しなやかさと軽さ及び強度を確保しており、現場での施工性の向上と製作コストを押さえることも両立することができる。
【図面の簡単な説明】
【００１２】
【図１】本発明の輻射熱反射機能付き透湿防水シートの断面図を示す。
【図２】本発明の輻射熱反射機能付き透湿防水シートの施工断面図を示す。
【符号の説明】
【００１３】
１．アルミニウム箔
２．プラスティックシート
３．貫通孔
４．接着剤
５．透湿防水シート
６．壁材
７．通気胴縁
８．反射機能付き透湿防水シート（本シート）
９．断熱材
１０．柱
１１．間柱
１２．室内側壁材
【図１】
2005059506.tif 000003
【図２】
2005059506.tif 000004